(57)【要約】【課題】床面だけでなく、壁面も掃除できる電気掃除機用吸込具、およびこの吸込具を備えた電気掃除機を提供すること。【解決手段】電気掃除機用吸込具１では、ハウジング２を基本姿勢にして、底面５の主吸込口１１が床面Ｂに対向した状態でハウジング２を移動させることで、床面Ｂの塵埃が主吸込口１１からハウジング２内に取り込まれることとなり、床面Ｂを掃除できる。ハウジング２の姿勢を側立姿勢に切り換えることによって、ハウジング２の右側面９または左側面１０が床面Ｂに対向した側立状態でハウジング２を移動させることができ、壁面Ｃに主吸込口１１を対向させることができるので、壁面Ｃも掃除できる。【選択図】図３
2009247827.tif 000002
【特許請求の範囲】
【請求項１】
底面、上面、前面、後面および左右の側面を備え、所定の幅、厚みおよび奥行をしたハウジングと、
前記ハウジングの底面に形成され、ハウジングの幅方向に長手の主吸込口と、
前記ハウジングの後面の幅方向中央に配置され、回動可能に設けられているベンドベースと、
前記ベンドベースに対して回動可能に取り付けられたベンドとを備え、
前記ハウジングに対してベンドベースを回動させ、前記ベンドベースに対して前記ベンドを回動させ、かつハウジングの向きを変えることによって、前記主吸込口が床面に対向した状態でハウジングを奥行方向に前後移動させ得る基本姿勢と、前記ハウジングの左側面または右側面が床面に対向した側立状態でハウジングを奥行方向に前後移動させ得る側立姿勢とに、ハウジングの姿勢を切り換えることができることを特徴とする、電気掃除機用吸込具。
【請求項２】
前記ハウジングの左右の側面には、それぞれ、床面に対向した側面が床面に沿って良好に摺動し得るための摺動手段が備えられていることを特徴とする、請求項１記載の電気掃除機用吸込具。
【請求項３】
前記摺動手段は、側面に設けられ、ハウジングの奥行方向に延びる起毛布を含むことを特徴とする、請求項２記載の電気掃除機用吸込具。
【請求項４】
前記摺動手段は、側面に設けられたローラーを含むことを特徴とする、請求項２または３記載の電気掃除機用吸込具。
【請求項５】
前記ローラーは、後面寄りの側面後端部に設けられていることを特徴とする、請求項４記載の電気掃除機用吸込具。
【請求項６】
前記ローラーは、前面寄りの側面前端部および後面寄りの側面後端部に設けられていることを特徴とする、請求項４記載の電気掃除機用吸込具。
【請求項７】
前記側面には、側面前端部から側面後端部に向かってハウジングの幅が狭まるように傾斜がつけられていることを特徴とする、請求項１〜６のいずれかに記載の電気掃除機用吸込具。
【請求項８】
前記ハウジングが前記側立姿勢にあるときに前記ハウジングに対する前記ベンドベースの回動を規制する第１規制手段を備えていることを特徴とする、請求項１〜７のいずれかに記載の電気掃除機用吸込具。
【請求項９】
前記ハウジングが前記側立姿勢にあるときに前記ベンドベースに対する前記ベンドの回動を規制する第２規制手段を備えていることを特徴とする、請求項１〜８のいずれかに記載の電気掃除機用吸込具。
【請求項１０】
前記ハウジングの前面には、前記主吸込口とつながった副吸込口が形成されており、
ハウジングに対してベンドベースを回動させ、前記ベンドベースに対して前記ベンドを回動させ、かつハウジングの向きを変えることによって、前記副吸込口が床面に対向した状態でハウジングを幅方向に前後移動させ得る起立姿勢にハウジングの姿勢を切り換えることができることを特徴とする、請求項１〜９のいずれかに記載の電気掃除機用吸込具。
【請求項１１】
請求項１０記載の電気掃除機用吸込具と、
前記ベンドに接続され、グリップが設けられた吸込パイプと、を備え、
前記ハウジングが前記起立姿勢にあるときに前記グリップを把持して前記吸込パイプを傾けることによって、前記起立姿勢から前記側立姿勢にハウジングの姿勢を切り換えることができることを特徴とする、電気掃除機。
【発明の詳細な説明】
【技術分野】
【０００１】
この発明は、電気掃除機用吸込具に関し、特に、電気掃除機に装着されて使用され、被清掃面上の塵挨を吸い込んで電気掃除機本体へ送るための吸込具、およびこの吸込具を備えた電気掃除機に関する。
【背景技術】
【０００２】
従来、電気掃除機用の吸込具は、底面、上面、前面、後面および左右の側面を備え、所定の幅、厚みおよび奥行をしたハウジングを有しており、ハウジングの底面には、ハウジングの幅方向に長手の吸込口が形成されている（特許文献１参照）。ハウジング底面の吸込口を床面に対向させた状態で吸込具を床面上で移動させることによって、床面の塵埃がハウジング内部に取り込まれ、これにより、床面の掃除が行われる。
【特許文献１】特開２００４−１６６０６号公報
【発明の開示】
【発明が解決しようとする課題】
【０００３】
これまで、吸込具は、専ら床面の掃除のために用いられてきたが、塵埃は、床面だけでなく、壁面、特に幅木（壁において床に接する最下部に張る化粧板）の周辺にも付着する。そこで、吸込具で壁面の掃除もできると便利であるが、従来の吸込具では、壁面を掃除することが考慮されていないので、壁面を掃除することは困難である。
この発明は、かかる背景のもとでなされたもので、床面だけでなく、壁面も掃除できる電気掃除機用吸込具、およびこの吸込具を備えた電気掃除機を提供することを目的とする。
【課題を解決するための手段】
【０００４】
請求項１記載の発明は、底面、上面、前面、後面および左右の側面を備え、所定の幅、厚みおよび奥行をしたハウジングと、前記ハウジングの底面に形成され、ハウジングの幅方向に長手の主吸込口と、前記ハウジングの後面の幅方向中央に配置され、回動可能に設けられているベンドベースと、前記ベンドベースに対して回動可能に取り付けられたベンドとを備え、前記ハウジングに対してベンドベースを回動させ、前記ベンドベースに対して前記ベンドを回動させ、かつハウジングの向きを変えることによって、前記主吸込口が床面に対向した状態でハウジングを奥行方向に前後移動させ得る基本姿勢と、前記ハウジングの左側面または右側面が床面に対向した側立状態でハウジングを奥行方向に前後移動させ得る側立姿勢とに、ハウジングの姿勢を切り換えることができることを特徴とする、電気掃除機用吸込具である。
【０００５】
請求項２記載の発明は、前記ハウジングの左右の側面には、それぞれ、床面に対向した側面が床面に沿って良好に摺動し得るための摺動手段が備えられていることを特徴とする、請求項１記載の電気掃除機用吸込具である。
請求項３記載の発明は、前記摺動手段は、側面に設けられ、ハウジングの奥行方向に延びる起毛布を含むことを特徴とする、請求項２記載の電気掃除機用吸込具である。
【０００６】
請求項４記載の発明は、前記摺動手段は、側面に設けられたローラーを含むことを特徴とする、請求項２または３記載の電気掃除機用吸込具である。
請求項５記載の発明は、前記ローラーは、後面寄りの側面後端部に設けられていることを特徴とする、請求項４記載の電気掃除機用吸込具である。
請求項６記載の発明は、前記ローラーは、前面寄りの側面前端部および後面寄りの側面後端部に設けられていることを特徴とする、請求項４記載の電気掃除機用吸込具である。
【０００７】
請求項７記載の発明は、前記側面には、側面前端部から側面後端部に向かってハウジングの幅が狭まるように傾斜がつけられていることを特徴とする、請求項１〜６のいずれかに記載の電気掃除機用吸込具である。
請求項８記載の発明は、前記ハウジングが前記側立姿勢にあるときに前記ハウジングに対する前記ベンドベースの回動を規制する第１規制手段を備えていることを特徴とする、請求項１〜７のいずれかに記載の電気掃除機用吸込具である。
【０００８】
請求項９記載の発明は、前記ハウジングが前記側立姿勢にあるときに前記ベンドベースに対する前記ベンドの回動を規制する第２規制手段を備えていることを特徴とする、請求項１〜８のいずれかに記載の電気掃除機用吸込具である。
請求項１０記載の発明は、前記ハウジングの前面には、前記主吸込口とつながった副吸込口が形成されており、ハウジングに対してベンドベースを回動させ、前記ベンドベースに対して前記ベンドを回動させ、かつハウジングの向きを変えることによって、前記副吸込口が床面に対向した状態でハウジングを幅方向に前後移動させ得る起立姿勢にハウジングの姿勢を切り換えることができることを特徴とする、請求項１〜９のいずれかに記載の電気掃除機用吸込具である。
【０００９】
請求項１１記載の発明は、請求項１０記載の電気掃除機用吸込具と、前記ベンドに接続され、グリップが設けられた吸込パイプと、を備え、前記ハウジングが前記起立姿勢にあるときに前記グリップを把持して前記吸込パイプを傾けることによって、前記起立姿勢から前記側立姿勢にハウジングの姿勢を切り換えることができることを特徴とする、電気掃除機である。
【発明の効果】
【００１０】
請求項１記載の発明によれば、この電気掃除機用吸込具では、ハウジングに対してベンドベースを回動させ、ベンドベースに対してベンドを回動させ、かつハウジングの向きを変えることによって、ハウジングの姿勢を基本姿勢と側立姿勢とに切り換えることができる。
そのため、ハウジングを基本姿勢にして、その底面の主吸込口が床面に対向した状態でハウジングを奥行方向に前後移動させることにより、床面の塵埃が主吸込口からハウジング内に取り込まれることとなり、床面を掃除できる。
【００１１】
そして、ハウジングの姿勢を側立姿勢に切り換えることによって、ハウジングの左側面または右側面が床面に対向した側立状態でハウジングを奥行方向に前後移動させることができ、この場合、壁面に主吸込口を対向させることができるので、この電気掃除機用吸込具では、壁面も掃除できる。
請求項２記載の発明によれば、ハウジングの左右の側面のそれぞれに備えられた摺動手段によって、ハウジングが側立姿勢にあるときに床面に対向した左側面または右側面が床面に沿って良好に摺動できるので、側立姿勢にあるハウジングを奥行方向に良好に前後移動させることができ、壁面を良好に掃除できる。
【００１２】
請求項３記載の発明によれば、摺動手段を、側面に設けられ、ハウジングの奥行方向に延びる起毛布によって、簡易に構成することができる。
請求項４記載の発明によれば、摺動手段を、側面に設けられたローラーによって、簡易に構成することができる。
請求項５記載の発明によれば、ローラーは、後面寄りの側面後端部に設けられているので、掃除の際、ハウジングに対して一般的に後面寄りに位置するユーザは、側立姿勢にあるハウジングを、つまずくことなくスムーズに前後移動させることができる。これにより、壁面を一層良好に掃除できる。
【００１３】
請求項６記載の発明によれば、ローラーは、前面寄りの側面前端部および後面寄りの側面後端部に設けられているので、掃除の際、ユーザは、側立姿勢にあるハウジングを、つまずくことなくスムーズに前後移動させることができる。これにより、壁面を一層良好に掃除できる。
請求項７記載の発明によれば、側面には、側面前端部から側面後端部に向かってハウジングの幅が狭まるように傾斜がつけられているので、側立姿勢にあるハウジングは、後側へやや傾いた状態となり、掃除の際、ハウジングに対して一般的に後面寄りに位置するユーザは、側立姿勢にあるハウジングを、つまずくことなくスムーズに前後移動させることができる。これにより、壁面を一層良好に掃除できる。
【００１４】
請求項８記載の発明によれば、ハウジングが側立姿勢にあるときに、第１規制手段によって、ハウジングに対するベンドベースの回動が規制されるので、ハウジングを側立姿勢で維持することができる。これにより、ハウジングが側立姿勢で安定した状態で壁面を良好に掃除できる。
請求項９記載の発明によれば、ハウジングが側立姿勢にあるときに、第２規制手段によって、ベンドベースに対するベンドの回動が規制されるので、ハウジングを側立姿勢で維持することができる。これにより、ハウジングが側立姿勢で安定した状態で壁面を良好に掃除できる。
【００１５】
請求項１０記載の発明によれば、この電気掃除機用吸込具では、ハウジングに対してベンドベースを回動させ、ベンドベースに対してベンドを回動させ、かつハウジングの向きを変えることによって、ハウジングの姿勢をさらに起立姿勢に切り換えることができる。ハウジングが起立姿勢にある場合、ハウジングでは前面が床面に対向することになるので、ハウジングにおいて前面に対して一般的に広い底面が床面に対向する基本姿勢の場合に比べて、床面に対するハウジングの占有面積を小さくすることができる。
【００１６】
そのため、ハウジングを起立姿勢にして、その前面の副吸込口が床面に対向した状態でハウジングを幅方向に前後移動させることにより、床面において狭く区切られた部分を良好に掃除できる。
請求項１１記載の発明によれば、ハウジングが起立姿勢にあるときにグリップを把持して吸込パイプを傾けることによって、起立姿勢から側立姿勢にハウジングの姿勢を切り換えることができるので、ハウジングを起立姿勢にして床面を掃除していた状態から、速やかに壁面を掃除することができる。
【発明を実施するための最良の形態】
【００１７】
以下には、図面を参照して、この発明の実施形態について具体的に説明をする。
図１は、吸込パイプＡに取り付けられたこの発明の一実施形態に係る電気掃除機用吸込具１の操作状態を示す図である。図２は、図１と同様に吸込具１の操作状態を示す図であて、側立姿勢にある吸込具１のハウジング２がやや後方に傾いた状態を示している。図３は、吸込具１を図１または図２に示す操作状態にして、床面Ｂの隅の壁面Ｃの下方部（幅木Ｄが備えられた部分）を清掃する様子を示す図である。図４は、図３において、ハウジング２が壁面Ｃへ寄り掛かった状態を示している。図５は、基本姿勢にある吸込具１の右側面図である。
【００１８】
図１に示すように、この発明の一実施形態に係る電気掃除機用吸込具１（以下では単に「吸込具１」という。）は、電気掃除機（図示せず）に備えられ、掃除機本体（図示せず）にホース等を介して接続された吸込パイプＡ（電気掃除機に備えられている）の端部に接続されて使用されるものである。吸込パイプＡには、グリップ（図示せず）が設けられており、このグリップを把持して吸込パイプＡを傾けること等により、吸込具１を移動させたり、吸込具１の姿勢を切り換えたりすることができる。
＜吸込具の概要＞
吸込具１は、ハウジング２と、ベンドベース３と、ベンド４とを備えている（図２〜５も参照）。
【００１９】
以下では、まず、図５に示す状態にあるハウジング２の姿勢を基本姿勢とし、ハウジング２が基本姿勢にある状態を基準にして吸込具１の概要について説明する。また、吸込具１の姿勢および構成部品の位置を特定するのにあたり、図示した方向矢印を参照する（他の図においても同様）。なお、左右方向を幅方向といったり、前後方向を奥行方向といったり、上下方向を厚み方向といったりすることがある。また、水平方向は、左右方向および前後方向を含み、上下方向と直交する方向である。
【００２０】
ハウジング２は、所定の幅Ｗ（左右方向寸法、図１参照）、厚みＴ（上下方向寸法）および奥行Ｌ（前後方向寸法、図１も参照）を有する中空のボックス形状である。幅Ｗと厚みＴと奥行Ｌとの大きさについての関係は、幅Ｗ＞奥行Ｌ＞厚みＴであり、ハウジング２全体は、幅方向に長手かつ、上下にやや薄い（図１〜図４も参照）。
このようなボックス形状のハウジング２は、底面５と、上面６と、前面７と、後面８と、右側面９と、左側面１０（図５には表れていない。）とを備えている。
【００２１】
底面５は、ハウジング２が基本姿勢にあるときには、床面Ｂに対して上側から対向し、床面Ｂと略平行に延びている。
上面６は、ハウジング２が基本姿勢にあるときには、所定の間隔を隔てて底面５の上方に位置しており、斜め前側下方へ傾斜している。
前面７は、底面５の前端と上面６の前端との間に架設されるように、ハウジング２が基本姿勢にあるときには、略上下方向に沿って延びている。
【００２２】
後面８は、底面５の後端と上面６の後端との間に架設されるように、ハウジング２が基本姿勢にあるときには、略上下方向に沿って延びている。
右側面９は、底面５の右端と上面６の右端との間に架設され、かつ、前面７の右端と後面８の右端との間に架設されるように、ハウジング２が基本姿勢にあるときには、略上下方向および略前後方向に沿って延びている。
【００２３】
左側面１０は、ハウジング２が基本姿勢にあるときには、所定の間隔を隔てて右側面９の左側に配置されている（図１では、左側面１０は、右側面９に対して上側に配置されている。）。左側面１０は、底面５の左端と上面６の左端との間に架設され、かつ、前面７の左端と後面８の左端との間に架設されるように、ハウジング２が基本姿勢にあるときには、略上下方向および略前後方向に沿って延びている。
【００２４】
なお、ハウジング２では、掃除中に家具等を傷つけないように、角が丸められている。
ベンドベース３は、ハウジング２の後面８の幅方向中央に接続され、後側へ突出する筒状に形成されている。ベンドベース３の内部は、ハウジング２内に対して後側から連通している。そして、ベンドベース３には、切欠き１２が、ベンドベース３の後端面と上側面の後端部分とに亘って連続するように形成されている。切欠き１２によって、ベンドベース３の内部が後方および上方に露出される。ベンドベース３は、その円中心を通って奥行方向に延びる軸１３を中心にハウジング２に対して回動可能である。
【００２５】
ベンド４は、筒状に形成されている。ベンド４の一端部１４は、略球体状に形成されている。ベンド４は、一端部１４から他端部１５へ向かって次第に太くなっている。ベンド４では、一端部１４が、ベンドベース３の内部に、切欠き１２を介して挿通されている。この状態において、ベンド４は、一端部１４を中心に（詳しくはベンドベース３の回動軸１３と直交する方向に延びる軸を中心に）、ベンドベース３に対して回動可能である。つまり、ベンド４は、ベンドベース３に対して回動可能に取り付けられている。図５の状態にあるベンド４は、一端部１４から他端部１５へ向かって、斜め後側上方へ突出しており、この状態から上下方向に回動可能である。そして、この状態において、ベンド４の内部は、ベンドベース３の内部を介して、ハウジング２の内部に連通している。なお、ベンド４の他端部１５に、吸込パイプＡの端部が接続される。
【００２６】
また、ベンドベース３が、その前端部を中心として上下方向に回動し、ベンド４が、ベンドベース３に取り付けられた状態で、ベンドベース３に対してベンド４の中心軸まわりに回動してもよい。
次に、図１を参照して、吸込具１についてさらに説明する。
ハウジング２の底面５の略前半分の領域には、幅方向（図１では上下方向）に長手の略矩形状をなす主吸込口１１が形成されている。主吸込口１１は、ハウジング２の内部に連通している。
【００２７】
また、ハウジング２には、幅方向に長手のブラシ１６が内蔵されている。ブラシ１６は、主吸込口１１から部分的に露出された状態で、ハウジング２によって回転自在に支持されている。ブラシ１６に関連して、ハウジング２には、モータ（図示せず）が内蔵されており、モータ（図示せず）が駆動されることによって、ブラシ１６の回転が制御される。
そして、ハウジング２の底面５には、安全スイッチ１７と、１対の第１ローラー１８と、１対の第２ローラー１９とが設けられている。
【００２８】
安全スイッチ１７は、底面５が床面Ｂや壁面Ｃ（図３参照）に接近しているときには、床面Ｂや壁面Ｃに押圧されることにより、ハウジング２内に埋没した退避位置にあるが（図３および図５参照）、たとえば、底面５が上向きになった場合には（後述する図２３参照）、底面５からハウジング２の外方へ突き出た進出位置へ移動する。退避位置にある安全スイッチ１７は、ＯＦＦ状態にあり、他の部品の動作に影響しないが、進出位置にある安全スイッチ１７は、ＯＮ状態となり、上述したモータ（図示せず）の駆動を停止して、ブラシ１６が回転しないようにする。これにより、底面５が上向きになってブラシ１６が上方へ露出された状態において（図２３参照）、回転するブラシ１６にユーザの手が触れることが防止される。安全スイッチ１７については、後で詳説する。
【００２９】
１対の第１ローラー１８は、互いに間隔を隔てつつ、底面５の後端縁に沿って回転自在に設けられている。１対の第１ローラー１８は、底面５の幅方向中央（図１では上下方向中央）を基準として対称に配置されており、１対の第１ローラー１８の間には、ベンドベース３が配置されている。
１対の第２ローラー１９は、互いに間隔を隔てつつ、底面５において主吸込口１１の後端を縁取る部分に沿って回転自在に設けられている。１対の第２ローラー１９は、底面５の幅方向中央（図１では上下方向中央）を基準として対称に配置されている。
【００３０】
また、ハウジング２の前面７には、幅方向に長手の略矩形状をなす副吸込口２０が形成されている。副吸込口２０は、主吸込口１１に対して前側からつながった状態で、ハウジング２の内部に連通している。
そして、前面７には、副吸込口２０を開閉するためのシャッター２１が設けられている。シャッター２１は、副吸込口２０を覆うことができる程度の大きさを有する幅方向（図１では上下方向）に長手の板状であり、図５に示すように、ハウジング２の前側上部に支持されている。この状態において、シャッター２１は、副吸込口２０を外側（図５では前側）から覆う閉位置（図５参照）と、閉位置から斜め後側上方にずれて副吸込口２０を開放する開位置（後述する図２８および図２９参照）との間で揺動自在である。シャッター２１は、閉位置に位置するように、ばね等（図示せず）で常に付勢されている。シャッター２１の幅方向両端には、外向き（図５では斜め前側上方）へ突き出る角部２２が一体的に設けられており、角部２２の先端には、外向きに膨出する半球形状のころ２３が回転自在に設けられている。シャッター２１については、後で詳説する。
＜吸込具の姿勢＞
このような吸込具１では、ハウジング２に対してベンドベース３を回動させ、ベンドベース３に対してベンド４を回動させ、かつハウジング２の向きを変えることによって、上述した基本姿勢（図５参照）と、側立姿勢（図１参照）と、起立姿勢（図２８および図２９参照）とに、ハウジング２の姿勢を切り換える事ができる。起立姿勢については、シャッター２１とともに、後で詳説することとして、ここでは、基本姿勢と側立姿勢について詳説する。
【００３１】
ハウジング２が基本姿勢にある場合には、ハウジング２が幅方向に長手となり、底面５の主吸込口１１が、床面Ｂに対して上から対向している。この状態で、ハウジング２（吸込具１）を床面Ｂ上で奥行方向に前後移動させることができる。詳しくは、底面５に設けられた第１ローラー１８および第２ローラー１９（図１も参照）が床面Ｂに当接し、床面Ｂ上を転動することによって、ハウジング２が基本姿勢にある状態が維持されたまま、吸込具１が移動する。ハウジング２を移動させると、床面Ｂ上の塵埃が、主吸込口１１から露出されたブラシ１６（図１参照）によって主吸込口１１からハウジング２内に掻き上げられる。そして、掃除機本体（図示せず）側の電動送風機（図示せず）が生じさせる吸引力によって、ハウジング２内に掻き上げられた塵埃が、ベンドベース３内部、ベンド４内部、吸込パイプＡの内部を順に通過した後に、掃除機本体（図示せず）内に取り込まれる。これにより、床面Ｂが掃除される。また、ユーザが吸込パイプＡを動かすと、ハウジング２が基本姿勢で維持されるように、ベンドベース３およびベンド４が適宜回動する。なお、このとき、シャッター２１は、閉位置に位置している。
【００３２】
そして、基本姿勢にあるハウジング２を床面Ｂから浮かして、ハウジング２の左端部および右端部のいずれかを足などで押し下げることにより、ハウジング２がベンドベース３を中心に約９０°回動して、ハウジング２の姿勢が基本姿勢から側立姿勢に切り換わる。
ハウジング２が側立姿勢にある場合には、基本姿勢にあるときに幅方向に長手となっていたハウジング２が、図１に示すように、上下方向に長手となる。この状態（側立状態ということがある。）では、底面５の代わりに、ハウジング２の右側面９または左側面１０（図１では右側面９）が、床面Ｂに対して上から対向（接触）しており、側立姿勢のハウジング２（吸込具１）を床面Ｂ上で奥行方向に前後移動させることができる。詳しくは、床面Ｂに対して接触している右側面９または左側面１０が、床面Ｂに対して摺動する。このとき、基本姿勢にあったときには下向きとなっていた底面５が、図３に示すように、水平方向に向くので、底面５の主吸込口１１を壁面Ｃ（特に幅木Ｄ）に対向させることができる。これにより、壁面Ｃに付着した塵埃や幅木Ｄの上端面に溜まった塵埃が、ブラシ１６や上述した電動送風機（図示せず）の吸引力によって、主吸込口１１から、ハウジング２内を経て、掃除機本体（図示せず）内に取り込まれる。これにより、壁面Ｃおよび幅木Ｄが掃除される。また、ユーザが吸込パイプＡを動かすと、ハウジング２が側立姿勢で維持されるように、ベンドベース３およびベンド４が適宜回動する（図１参照）。そして、このとき、シャッター２１は、閉位置に位置している。
【００３３】
なお、側立状態にあるハウジング２は、図３に示すように底面５が壁面Ｃと略平行になるように床面Ｂに対して直立していてもよいが、図４に示すように底面５が壁面Ｃに寄り掛かるように、傾けられてもよい。これにより、主吸込口１１が壁面Ｃおよび幅木Ｄに接近するので、吸込具１では、壁面Ｃおよび幅木Ｄの塵埃を効率的に主吸込口１１に取り込むことができ、壁面Ｃおよび幅木Ｄを良好に掃除できる。
【００３４】
以上のように、電気掃除機用吸込具１では、床面Ｂだけでなく、壁面Ｃも掃除できる。そのため、この吸込具１を備えた電気掃除機（図示せず）では、床面Ｂだけでなく、壁面Ｃも掃除できる。そして、この電気掃除機（図示せず）では、壁面Ｃを掃除するためのアタッチメントを吸込具１とは別に設けずに済む。
＜吸込具の詳細＞
次に、吸込具１の詳細について説明する。
（詳細１）
吸込具１では、ハウジング２が側立姿勢にあるときに、床面Ｂに対向した右側面９または左側面１０が床面Ｂに沿って良好に摺動し得るように、右側面９および左側面１０のそれぞれに、図５に示す摺動手段２４が備えられている。
【００３５】
摺動手段２４には、起毛布２５およびローラー（第３ローラー２６という。）の少なくとも一方が含まれている。
起毛布２５は、図５では、幅方向から見て矩形の帯状をなし、ハウジング２の奥行方向に延びるように、右側面９および左側面１０のそれぞれに外側から貼り付けられている。
また、第３ローラー２６は、右側面９および左側面１０のそれぞれにおいて、後面８に寄った位置となる後端部（側面後端部２７という。）において、周面が部分的に露出されるように、回転自在に設けられている（図１も参照）。
【００３６】
側立姿勢のハウジング２を床面Ｂ上で移動させる場合には、右側面９および左側面１０のうち対応する側面では、図１および図２に示すように、起毛布２５および／または第３ローラー２６が床面Ｂに摺動する（第３ローラー２６は厳密には床面Ｂ上を転動する。）。起毛布２５および第３ローラー２６は、ともに床面Ｂに対して滑りやすい。
つまり、このような摺動手段２４によって、ハウジング２が側立姿勢にあるときに床面Ｂに対向した左側面１０または右側面９が床面Ｂに沿って良好に摺動できるので、側立姿勢にあるハウジング２を奥行方向に良好に前後移動させることができ、壁面Ｃを良好に掃除できる。また、右側面９および左側面１０が摺動手段２４に保護されるので、これらの側面の傷付きを防止できる。
【００３７】
そして、摺動手段２４を、起毛布２５や第３ローラー２６によって、簡易に構成することができる。
特に、第３ローラー２６は、後面８に寄った位置となる側面後端部２７に設けられているので、掃除の際、ハウジング２に対して一般的に後面８寄り（つまりハウジング２の後側）に位置するユーザは、側立姿勢にあるハウジング２を、つまずくことなくスムーズに前後移動させることができる（図２参照）。これにより、壁面Ｃを一層良好に掃除できる。
【００３８】
第３ローラー２６は、右側面９および左側面１０のそれぞれにおいて、側面後端部２７だけでなく、前面７に寄った位置となる前端部（側面前端部２８という。）に設けられてもよい（後述する図１３〜図１５参照）。
この場合でも、掃除の際、ユーザは、側立姿勢にあるハウジング２を、つまずくことなくスムーズに前後移動させることができる。
【００３９】
図６は、側立姿勢にあるハウジング２と床面Ｂとの接触部分を示している。図７は、図６において変形例を適用した図である。
起毛布２５は、図６に示すように、ハウジング２（詳しくは右側面９および左側面１０）から外向き（図６では下向き）に円弧状に膨出するように設けられていてもよい。この場合、起毛布２５では、縁部２５Ａに囲まれた位置に、縁部２５Ａよりも外側に位置する膨出部２５Ｂが形成されるので、ハウジング２が側立状態にあるときには、起毛布２５では、縁部２５Ａでなく、膨出部２５Ｂが床面Ｂに接触する。そのため、この状態で側立姿勢のハウジング２を移動させても、起毛布２５では、縁部２５Ａが床面Ｂに摺動することはほとんどなく、起毛布２５においてハウジング２から剥がれやすい箇所である縁部２５Ａが剥がれることを防止できる。これにより、起毛布２５自体がハウジング２から剥がれ難くなる。
【００４０】
また、図７に示すように、ハウジング２（右側面９および左側面１０）に溝３５を設け、この溝３５に起毛布２５の縁部２５Ａをしっかり挟み込んでおけば、図６のように膨出部２５Ｂを設けなくても、側立姿勢のハウジング２を移動させたときに、縁部２５Ａが床面Ｂに摺動することはなく、縁部２５Ａが剥がれることを防止できる。
図８は、図２において変形例を適用した図である。図９は、図８に示す吸込具１（ハウジング２が基本姿勢にある状態）の右側面図である。図１０は、図９において、図９とは異なる態様の起毛布２５を適用した図である。
【００４１】
摺動手段２４は、図２では起毛布２５および第３ローラー２６の両方で構成されていたが、図８および図９に示すように、起毛布２５だけで構成されていても構わない。この場合、起毛布２５は、右側面９および左側面１０のそれぞれに対して、側面前端部２８から側面後端部２７までに亘るほぼ全域を覆うように、貼り付けられている（図９参照）。特に、起毛布２５において側面後端部２７側の縁部２５Ａは、側面後端部２７を越えて、後面８に配置されているとよい（図８参照）。
【００４２】
もちろん、図１０に示すように、起毛布２５を、右側面９および左側面１０のそれぞれに対して、右側面９および左側面１０において実際に床面Ｂに摺動する部分３６だけを覆うように、必要最小限の大きさに形成してもよい。
図１１は、図４において変形例を適用した図である。
図１１に示すように、右側面９と左側面１０とを、底面５から上面６へ向うに従って幅方向（図１１では上下方向）における互いの間隔が広がるように傾斜させていてもよい。これにより、ハウジング２は、正面視において、底面５を上底とし、上面６を下底とし、上底が下底より短い略等脚台形状になるので、壁面Ｃおよび幅木Ｄを掃除するためにハウジング２を側立姿勢にすると、ハウジング２は、自動的に、壁面Ｃに寄り掛かかって、図４で示した状態にある。
【００４３】
図１２は、図２において、図８とは別の変形例を適用した図である。図１３は、図２において、図８および図１２とは別の変形例を適用した図である。図１４は、図１３に示した吸込具１の右側面図である。図１５は、図１３に示した吸込具１の平面図である。
また、摺動手段２４は、図２では起毛布２５および第３ローラー２６の両方で構成され、図８〜図１０では起毛布２５だけで構成されていたが、図１２〜図１５に示すように、第３ローラー２６だけで構成されていても構わない。
【００４４】
この場合、第３ローラー２６は、右側面９および左側面１０のそれぞれにおいて、上述したように、側面後端部２７だけに設けられてもよいし（図１２参照）、側面後端部２７および側面前端部２８の両方に設けられてもよい（図１３〜図１５参照）。
図１６は、シャッター２１のころ２３が第３ローラー２６を兼ねる吸込具１においてハウジング２が側立姿勢にある状態を、主吸込口１１側から見た図である。
【００４５】
図１６に示すように、上述したシャッター２１の幅方向（図１６では上下方向）両端で回転自在に設けられたころ２３が第３ローラー２６を兼ねてもよい。この場合、摺動手段２４は、図８および図９に示す態様の起毛布２５と、ころ２３とで構成される。これにより、第３ローラー２６を省略することができるので、部品点数の削減および軽量化を図ることができる。
【００４６】
図１７は、第３ローラー２６の代わりにボール３７を有する吸込具１においてハウジング２が側立姿勢にある状態を、主吸込口１１側から見た図である。
図１７に示すように、摺動手段２４において、第３ローラー２６の代わりにボール３７を用いてもよい。この場合、ハウジング２の幅方向（図１７では上下方向）における両端のそれぞれにおいて、奥行方向における略中央位置には、ボール３７をちょうど収容し得る大きさを有する球体状の窪み３８が形成されている。各窪み３８は、底面５と、右側面９および左側面１０のうち対応する側面とのいずれからも露出されている。そして、各窪み３８では、ボール３７が回転自在に収容されており、このボール３７は、底面５と、右側面９および左側面１０のうち対応する側面とのいずれからも部分的に露出されている。
【００４７】
そのため、側立姿勢のハウジング２を移動させる場合には、ボール３７において、右側面９または左側面１０から露出された部分が、床面Ｂに摺動（厳密には転動）する。この場合、第３ローラー２６を省略することができる。
さらに、ボール３７は、底面５からも露出されているので、ハウジング２が基本姿勢にあるとき（図５参照）でも、床面Ｂに接触し、床面Ｂ上を転動することができる。これにより、上述した第１ローラー１８および第２ローラー１９（図１参照）の少なくともいずれか（図１７では第２ローラー１９）を省略することができる。なお、この場合、摺動手段２４は、図８および図９に示す態様の起毛布２５と、ボール３７とで構成される。
（詳細２）
図１８は、側立姿勢にあるハウジング２を幅木Ｄに対して上から近付けている状態を示している。図１９は、図１８のハウジング２を断面で示している。図２０は、図１９において変形例を適用した図である。
【００４８】
ハウジング２を側立姿勢にして幅木Ｄを掃除する際、側立姿勢のハウジング２を水平方向から幅木Ｄに近付ける場合もあれば、図１８に示すように、側立姿勢のハウジング２を幅木Ｄに対して上から近づける場合もある。
側立姿勢のハウジング２を幅木Ｄに対して上から近づける場合において、上述したように安全スイッチ１７が進出位置に移動して底面５から外方（図１８では幅木Ｄ側）へ突き出ていることが考えられる。この場合、安全スイッチ１７が幅木Ｄ側へ突き出たままの状態でハウジング２を幅木Ｄに対して上から近づけると、安全スイッチ１７の下端面が幅木Ｄの上端面にぶつかって、幅木Ｄが傷付く虞がある。
【００４９】
そこで、図１９に示すように、安全スイッチ１７の下端面を、軟質材で形成された保護部材３９で覆っておくとよい。これにより、安全スイッチ１７が幅木Ｄ側へ突き出たままの状態でハウジング２を幅木Ｄに対して上から近づけて安全スイッチ１７の下端面が幅木Ｄの上端面にぶつかっても（図１８参照）、幅木Ｄの上端面は、安全スイッチ１７の下端面を覆う保護部材３９に弾性的に接触されるので、幅木Ｄが傷付くことを防止できる。
【００５０】
なお、図１９では、保護部材３９を安全スイッチ１７の下端面に貼付けているが、図２０に示すように、かしめピン４０で保護部材３９を安全スイッチ１７に固定してもよい。
図２１は、吸込具１の左側断面図であって、安全スイッチ１７がＯＮになった状態を示している。図２２は、図２１において安全スイッチ１７がＯＦＦになった状態を示している。図２３は、図２１の吸込具１の姿勢を上下反対にした状態を示している。図２４は、図２１のＸ−Ｘ矢視断面図であって、ハウジング２が側立姿勢にある状態を示している。
【００５１】
次に、安全スイッチ１７について詳説する。
図２１に示すように、安全スイッチ１７は、第１部４１と、第２部４２とを一体的に備えている。第１部４１は、角が丸められたブロック形状である。第２部４２は、凹部４３が形成された断面Ｕ字形状である。第２部４２は、第１部４１に対して幅方向に並ぶように配置されており（図２４も参照）、ハウジング２内に区画された収容室４４に収容されている。
【００５２】
安全スイッチ１７が上述した進出位置（図２１参照）と退避位置（図２２参照）との間で動く際、安全スイッチ１７では、実際には、第１部４１が、底面５から外方へ突き出たり（図２１参照）、ハウジング２内に埋没したりする（図２２参照）。ここで、安全スイッチ１７は、進出位置と退避位置との間で動くときに、後端部を中心として揺動する。このとき、第２部４２は、常に、収容室４４内で揺動する。
【００５３】
そして、収容室４４内には、球４５が移動自在に収容されている。
図２１および図２２に示すように、ハウジング２が基本姿勢にある場合には、球４５が第２部４２の凹部４３に収まっており、安全スイッチ１７は、進出位置と退避位置との間で揺動自在である。
図２２に示すように基本姿勢のハウジング２を床面Ｂに載置すれば、安全スイッチ１７（詳しくは第１部４１）が、床面Ｂに下から押されて退避位置に配置され、ＯＦＦ状態となる。
【００５４】
図２１に示すように、基本姿勢のハウジング２を床面Ｂから浮かせると、第１部４１が、自重によって、底面５から外方（下方）へ突き出て、これに伴って、安全スイッチ１７は進出位置へと揺動する（図示点線矢印参照）。これにより、上述したように、安全スイッチ１７がＯＮ状態となって、ブラシ１６の回転が止められる。
しかし、基本姿勢のハウジング２を床面Ｂから浮かせて安全スイッチ１７が進出位置にある状態（図２１参照）で、図２３に示すように、その姿勢を上下反対にすると、底面５が上向きになって、底面５の代わりに上面６が床面Ｂに対して上から対向することになり、ハウジング２の姿勢は、基本姿勢でなくなる。このとき、球４５が第２部４２の凹部４３から抜け落ちて、収容室４４の隅４４Ａ（図２３における後下側の隅）に移動する。これにより、収容室４４内における、進出位置から退避位置へ向かう第２部４２の揺動軌跡の途中に、球４５が配置される。そのため、進出位置にあった安全スイッチ１７が、第１部４１の自重によって、退避位置へと下向きに揺動しようとしても、第２部４２の揺動が球４５に阻まれることにより、安全スイッチ１７は揺動できず、進出位置で維持される。これにより、ブラシ１６の回転が止められた状態が維持されるので、底面５が上向きになってブラシ１６が主吸込口１１から上向きに露出された状態において、回転するブラシ１６にユーザの手が触れることが防止される。
【００５５】
ここで、ハウジング２が側立姿勢にある場合に、上述したように、底面５が壁面Ｃに寄り掛かるようにハウジング２が傾けられると（図４参照）、第１部４１の自重によって、安全スイッチ１７は進出位置へと揺動し得る（図１８および図１９参照）。安全スイッチ１７が進出位置へ揺動すると、ブラシ１６の回転が停止されるので、壁面Ｃや幅木Ｄの塵埃をブラシ１６で掻き込むことができなくなってしまう。
【００５６】
そこで、安全スイッチ１７が進出位置へ揺動しても、球４５が第２部４２の凹部４３に収まっていれば、上述したように、安全スイッチ１７は、進出位置と退避位置との間で揺動自在となる（図２１および図２２参照）。これにより、進出位置にある安全スイッチ１７（第１部４１）を壁面Ｃや幅木Ｄ（図１８参照）に押し付けることによって、安全スイッチ１７を退避位置へ戻し（図２２参照）、ブラシ１６の回転を再開させることができる。
【００５７】
しかし、安全スイッチ１７が進出位置へ揺動した状態で、上述したように球４５が第２部４２の凹部４３から抜け落ちてしまうと、上述したように安全スイッチ１７は揺動できなくなるので、安全スイッチ１７（第１部４１）を壁面Ｃや幅木Ｄに押し付けても、安全スイッチ１７を退避位置へ戻すことができない（安全スイッチ１７のＯＮ状態を解除できない）。
【００５８】
そこで、図２４に示すように、収容室４４を区画する区画壁４４Ｂにおいて、側立姿勢にあるハウジング２で第２部４２の下方に位置し、凹部４３から抜け落ちた球４５が載置される壁面４４Ｃを、傾斜させる。具体的には、壁面４４Ｃは、図２４では、第２部４２の凹部４３に向って下降するように傾斜している。そのため、側立姿勢にあるハウジング２において、球４５が、第２部４２の凹部４３から壁面４４Ｃに抜け落ちても、球４５は、壁面４４Ｃによって凹部４３へ導かれて下降し、凹部４３に戻される。これにより、安全スイッチ１７は再び揺動できるようになり、安全スイッチ１７（第１部４１）を壁面Ｃや幅木Ｄに押し付けて退避位置へ戻すことができる（安全スイッチ１７のＯＮ状態を解除できる）。
【００５９】
なお、図２４では、ハウジング２が側立姿勢にあるときに、右側面９が床面Ｂに対向しているので、球４５は、第２部４２の凹部４３から、第２部４２の下方に位置する壁面４４Ｃに抜け落ちるが、左側面１０が床面Ｂに対向する場合には、第２部４２の下方には、壁面４４Ｃとは別の壁面４４Ｄが位置することになるので、この壁面４４Ｄも、壁面４４Ｃと同様に、凹部４３から抜け落ちた球４５を凹部４３へ導けるように、傾斜させるとよい。
【００６０】
また、ハウジング２が側立姿勢にあるときに、安全スイッチ１７が揺動せずに退避位置で維持されるように、安全スイッチ１７を、底面５において、壁面Ｃから突き出た幅木Ｄに対向する位置（側立姿勢のハウジング２において低い位置）に配置しておくとよい（図４参照）。これにより、ハウジング２が側立姿勢にあるときに、安全スイッチ１７が幅木Ｄに押圧されることによって退避位置で維持され、不用意に進出位置へ揺動することが防止される。
（詳細３）
図２５は、ロック機構４６を備えた吸込具１の右側面図である。図２６は、図２５の吸込具１の背面図である。図２７は、図２５の吸込具１においてハウジング２が側立姿勢にある状態をハウジング２の上面６側から見た図である。
【００６１】
図２５〜図２７に示すように、吸込具１では、側立姿勢にあるハウジング２を側立姿勢でロックするためのロック機構４６（第１規制手段および第２規制手段）が設けられているとよい。
図２５に示すように、ロック機構４６は、ベンド４に形成される第１フック４７と、ハウジング２の後面８に形成される第２フック４８とを含んでいる。
【００６２】
第１フック４７は、図２５に示すように、他端部１５がハウジング２側に目一杯近付くまで回動された状態（起立状態という。）にあるベンド４の前側面に設けられている。
第２フック４８は、図２６に示すように、後面８において、ベンドベース３を幅方向から挟むように、間隔を隔てて２つ設けられている。詳しくは、これらの第２フック４８は、上述した起立状態にあるベンド４がベンドベース３とともに回動する場合における第１フック４７の回動軌跡（図示１点鎖線参照）上に位置しており、さらに、ベンド４が起立状態にあるときに、前後方向において第１フック４７と同じ位置にある（図２５参照）。
【００６３】
そのため、図２５に示すようにハウジング２が基本姿勢にある状態で、起立状態にあるベンド４を、ベンドベース３とともに床面Ｂ側へ回動させると、ベンド４とともに回動する第１フック４７が、対応する第２フック４８に係合する。これにより、ベンド４とハウジング２との相対位置が固定される。
そして、この状態では、ベンド４、および、ベンド４に接続された吸込パイプＡは、床面Ｂに近接配置されるので、掃除を行うために、ベンド４および吸込パイプＡのどちらかを掴んで持ち上げると、図２７に示すように、ベンド４とハウジング２との相対位置が固定された状態で、ハウジング２が基本姿勢から側立姿勢へと切り換わる。
【００６４】
このようにベンド４とハウジング２との相対位置を固定させていないと、ハウジング２を側立姿勢へ切り換えても、ハウジング２が床面Ｂにぶつかったとき等にベンドベース３に対して回動して基本姿勢に戻り得るので、ハウジング２を側立姿勢に維持することが困難である。
しかし、ハウジング２が側立姿勢にあるときに、このようにロック機構４６によってベンド４とハウジング２との相対位置を固定させれば、ベンドベース３に対するベンド４の回動が規制され、さらに、側立姿勢のハウジング２がベンドベース３に対して回動することがないので（換言すればハウジング２に対するベンドベース３の回動が規制されるので）、ハウジング２が側立姿勢でロックされる。これにより、ハウジング２を側立姿勢で維持することができるので、ハウジング２が側立姿勢にある状態で安定して吸込具１の操作性が向上し、壁面Ｃ（幅木Ｄ）を容易かつ良好に掃除できる。
【００６５】
なお、第１フック４７が第２フック４８に係合した状態で、ベンド４をさらに回動させると、第１フック４７と第２フック４８との係合を解除することができる。
（詳細４）
図１に示すように、このハウジング２では、右側面９および左側面１０のそれぞれにおいて、側面前端部２８から側面後端部２７に向かってハウジング２の幅（図１では上下方向寸法）が狭まるように、傾斜（傾斜面２９）がつけられている。図１では、右側面９および左側面１０のそれぞれにおいて、略後半分が傾斜面２９となっている。
【００６６】
これにより、側立姿勢にあるハウジング２は、右側面９および左側面１０のそれぞれにおいて傾斜面２９が床面Ｂに偏って接触することから、図２に示すように、後側へやや傾いた状態となる。そのため、掃除の際、ハウジング２に対して一般的に後面８寄りに位置するユーザは、側立姿勢にあるハウジング２を、つまずくことなくスムーズに前後移動させることができる。これにより、壁面Ｃを一層良好に掃除できる。
【００６７】
この場合、右側面９および左側面１０のそれぞれでは、側立姿勢のハウジング２が移動するときに傾斜面２９が床面Ｂに摺動することになる。ここで、図８にて上述したように、起毛布２５において側面後端部２７側の縁部２５Ａを後面８に配置しておくと、この縁部２５Ａは、傾斜面２９（つまり床面Ｂ）から離れて配置されることとなるので、この縁部２５Ａが床面Ｂに摺動して剥がれることが防止される。
【００６８】
なお、図１３および図１５に示すように、右側面９自体が傾斜面２９となっていてもよく、左側面１０自体が傾斜面２９となっていてもよい。この場合、ハウジング２を側立姿勢にすると、ハウジング２は、必ず後側へ傾いた状態になる
（詳細５）
ここでは、上述した起立姿勢について説明する。
【００６９】
図２８は、ハウジング２が起立姿勢にある吸込具１をハウジング２の上面６側から見た図である。図２９は、ハウジング２が起立姿勢にある吸込具１の右側面図である。
ハウジング２が上述した起立姿勢にある場合には、ハウジング２では、基本姿勢にあるときに床面Ｂに対向していた底面５に代わって、図２８および図２９に示すように、前面７が床面Ｂに対して上から対向する。ハウジング２の基本姿勢から起立姿勢への変位に伴い、ハウジング２が基本姿勢にあるときに閉位置にあった前面７のシャッター２１（図５参照）は、ころ２３が床面Ｂに当接されることによって、閉位置から開位置へ移動し、副吸込口２０が開放される。シャッター２１が開位置に移動した状態で、ころ２３は、引き続き床面Ｂに接触している。そして、このとき、底面５の主吸込口１１に代わり、前面７に形成された副吸込口２０が床面Ｂに対して上から対向している（図２９参照）。
【００７０】
この状態で、ハウジング２（吸込具１）を床面Ｂ上で幅方向に前後移動させることができる。詳しくは、シャッター２１のころ２３および前面７が床面Ｂに接触し、床面Ｂに摺動（ころ２３は厳密には床面Ｂ上を転動する）することによって、ハウジング２が起立姿勢にある状態が維持されたまま、吸込具１が移動する。なお、吸込具１を円滑に移動させるため、前面７において床面Ｂと接触する部分を起毛布５１で覆っておくとよい。ハウジング２を移動させると、床面Ｂの塵埃が、ブラシ１６や上述した電動送風機（図示せず）の吸引力によって、副吸込口２０から、ハウジング２内を経て、掃除機本体（図示せず）内に取り込まれる。これにより、床面Ｂが掃除される。また、ユーザが吸込パイプＡを動かすと、ハウジング２が起立姿勢で維持されるように、ベンドベース３およびベンド４が適宜回動する。
【００７１】
このようにハウジング２が起立姿勢にある場合、ハウジング２では前面７が床面Ｂに対向することになるので、上述したハウジング２の寸法の関係（幅Ｗ＞奥行Ｌ＞厚みＴ）から前面７に対して広くなる底面５が床面Ｂに対向する基本姿勢の場合に比べて、床面Ｂに対するハウジング２の占有面積を小さくすることができる。
そのため、ハウジング２を起立姿勢にして、その前面７の副吸込口２０が床面Ｂに対向した状態でハウジング２を幅方向に前後移動させることにより、床面Ｂにおいて隣り合う家具等によって狭く区切られた部分（たとえば１０ｃｍ程度の隙間）を良好に掃除できる。
【００７２】
また、ハウジング２の姿勢を起立姿勢から側立姿勢に切り換える場合には、まず、図２９に示すように、ハウジング２が起立姿勢にあるときに、主吸込口１１を壁面Ｃに対向させる。そして、この状態において、吸込パイプＡのグリップ（図示せず）を把持して吸込パイプＡを左側または右側へ約１８０度回転させる（図２８も参照）。これにより、ハウジング２は、左右どちらかのころ２３を中心として回動し、その姿勢が起立姿勢から側立姿勢へと切り換わる（図１参照）。これにより、ハウジング２を起立姿勢にして床面Ｂを掃除していた状態から、速やかに壁面Ｃを掃除することができる。
【００７３】
以上のように、ハウジング２の姿勢を側立姿勢に切り換えるために、このように起立姿勢のハウジング２を側立姿勢へ向けて回動させる第１の手順と、上述したように基本姿勢のハウジング２を床面Ｂから浮かせた状態で回動させる第２の手順とが主としてある。
図３０は、シャッター２１のころ２３の断面図を示している。
上述したように、起立姿勢にあるハウジング２を移動させるときには、ころ２３が床面Ｂに接触し、床面Ｂ上を転動する。ころ２３は、図３０（ａ）で示すように、主に、ゴム等のエラストマーで形成されているが、その場合には、ころ２３と床面Ｂとの摩擦が生じてころ２３が床面Ｂ上を円滑に転動できない虞がある。そこで、図３０（ｂ）に示すように、ころ２３において床面Ｂと接触する部分を、起毛布４９で覆っておくとよい。これにより、ころ２３では、エラストマーで形成された部分の代わりに、滑りやすい起毛布４９が床面Ｂに接触するので、ころ２３と床面Ｂとの間に摩擦が生じ難くなり、ころ２３は床面Ｂ上を円滑に転動できる（図２８および図２９も参照）。
【００７４】
また、上述したように、ハウジング２の基本姿勢から起立姿勢への変位に伴い、シャッター２１（図５参照）は、ころ２３が床面Ｂに当接されることによって、閉位置（図５参照）から開位置（図２８および図２９参照）へ移動する。ここで、ころ２３において床面Ｂに当接される部分（図３０（ｃ）の被当接部分５０参照）が滑りやすいと、ころ２３が床面Ｂに当接されても、床面Ｂからの押圧力がころ２３にうまく作用せず、これにより、シャッター２１が閉位置から開位置へ円滑に移動できない虞がある。そこで、上述したようにころ２３を起毛布４９で覆う場合であっても（図３０（ｂ）参照）、図３０（ｃ）に示すように、被当接部分５０は、起毛布４９に比べて滑りにくい材料であるエラストマーで形成されるとよい。これにより、シャッター２１の閉位置から開位置への円滑に移動と、起立姿勢のハウジング２の床面Ｂでの円滑な移動とを両立させることができる。
【００７５】
この発明は、以上説明した実施形態に限定されるものではなく、請求項記載の範囲内において種々の変更が可能である。
【図面の簡単な説明】
【００７６】
【図１】吸込パイプＡに取り付けられたこの発明の一実施形態に係る電気掃除機用吸込具１の操作状態を示す図である。
【図２】図１と同様に吸込具１の操作状態を示す図であて、側立姿勢にある吸込具１のハウジング２がやや後方に傾いた状態を示している。
【図３】吸込具１を図１または図２に示す操作状態にして、床面Ｂの隅の壁面Ｃの下方部（幅木Ｄが備えられた部分）を清掃する様子を示す図である。
【図４】図３において、ハウジング２が壁面Ｃへ寄り掛かった状態を示している。
【図５】基本姿勢にある吸込具１の右側面図である。
【図６】側立姿勢にあるハウジング２と床面Ｂとの接触部分を示している。
【図７】図６において変形例を適用した図である。
【図８】図２において変形例を適用した図である。
【図９】図８に示す吸込具１（ハウジング２が基本姿勢にある状態）の右側面図である。
【図１０】図９において、図９とは異なる態様の起毛布２５を適用した図である。
【図１１】図４において変形例を適用した図である。
【図１２】図２において、図８とは別の変形例を適用した図である。
【図１３】図２において、図８および図１２とは別の変形例を適用した図である。
【図１４】図１３に示した吸込具１の右側面図である。
【図１５】図１３に示した吸込具１の平面図である。
【図１６】シャッター２１のころ２３が第３ローラー２６を兼ねる吸込具１においてハウジング２が側立姿勢にある状態を、主吸込口１１側から見た図である。
【図１７】第３ローラー２６の代わりにボール３７を有する吸込具１においてハウジング２が側立姿勢にある状態を、主吸込口１１側から見た図である。
【図１８】側立姿勢にあるハウジング２を幅木Ｄに対して上から近付けている状態を示している。
【図１９】図１８のハウジング２を断面で示している。
【図２０】図１９において変形例を適用した図である。
【図２１】吸込具１の左側断面図であって、安全スイッチ１７がＯＮになった状態を示している。
【図２２】図２１において安全スイッチ１７がＯＦＦになった状態を示している。
【図２３】図２１の吸込具１の姿勢を上下反対にした状態を示している。
【図２４】図２１のＸ−Ｘ矢視断面図であって、ハウジング２が側立姿勢にある状態を示している。
【図２５】ロック機構４６を備えた吸込具１の右側面図である。
【図２６】図２５の吸込具１の背面図である。
【図２７】図２５の吸込具１においてハウジング２が側立姿勢にある状態をハウジング２の上面６側から見た図である。
【図２８】ハウジング２が起立姿勢にある吸込具１をハウジング２の上面６側から見た図である。
【図２９】ハウジング２が起立姿勢にある吸込具１の右側面図である。
【図３０】シャッター２１のころ２３の断面図を示している。
【符号の説明】
【００７７】
１      電気掃除機用吸込具
２      ハウジング
３      ベンドベース
４      ベンド
５      底面
６      上面
７      前面
８      後面
９      右側面
１０    左側面
１１    主吸込口
１３    軸
２０    副吸込口
２４    摺動手段
２５    起毛布
２６    第３ローラー
２７    側面後端部
２８    側面前端部
４６    ロック機構
Ａ      吸込パイプ
Ｗ      幅
Ｔ      厚み
Ｌ      奥行
【図１】
2009247827.tif 000003
【図２】
2009247827.tif 000004
【図３】
2009247827.tif 000005
【図４】
2009247827.tif 000006
【図５】
2009247827.tif 000007
【図６】
2009247827.tif 000008
【図７】
2009247827.tif 000009
【図８】
2009247827.tif 000010
【図９】
2009247827.tif 000011
【図１０】
2009247827.tif 000012
【図１１】
2009247827.tif 000013
【図１２】
2009247827.tif 000014
【図１３】
2009247827.tif 000015
【図１４】
2009247827.tif 000016
【図１５】
2009247827.tif 000017
【図１６】
2009247827.tif 000018
【図１７】
2009247827.tif 000019
【図１８】
2009247827.tif 000020
【図１９】
2009247827.tif 000021
【図２０】
2009247827.tif 000022
【図２１】
2009247827.tif 000023
【図２２】
2009247827.tif 000024
【図２３】
2009247827.tif 000025
【図２４】
2009247827.tif 000026
【図２５】
2009247827.tif 000027
【図２６】
2009247827.tif 000028
【図２７】
2009247827.tif 000029
【図２８】
2009247827.tif 000030
【図２９】
2009247827.tif 000031
【図３０】
2009247827.tif 000032